(57)【要約】      （修正有）【課題】夜間など必要な時に反射材を露出させ、不要なときに反射材を確実に隠しておける衣服を提供する。【解決手段】衣服１の他の部分３に重なり且つ衣服の構成部分であるフラップ部２を備え、フラップ部２は変形すること或いは衣服１の前記他の部分３に対し移動することにて、重ねられた状態から解放される衣服１であって、この衣服１は、フラップ部２又はフラップ部２が重ねられる被重ね部３に、光を反射する反射材４が設けられ、フラップ部２が衣服１の被重ね部３に重なった状態にて、反射材４が隠れ、フラップ部２の変形又は移動によって、反射材４が露出する。【選択図】図１
0003190400.tif 000002
【実用新案登録請求の範囲】
【請求項１】
衣服の一部であるフラップ部を備え、前記フラップ部は、前記衣服の通常の使用において衣服の他の部分を被重ね部として当該被重ね部へ重なるものであり、前記フラップ部は、変形すること或いは衣服の前記被重ね部に対し移動することにて、前記被重ね部へ重なった状態から解放されるものである衣服において、
前記フラップ部又は前記被重ね部に、光を反射し又は蓄光反射する反射材が設けられ、
前記フラップ部が衣服の前記被重ね部へ重なった状態にて、前記反射材が隠れ、
フラップ部の前記変形又は前記移動によって、前記反射材が露出するものであることを特徴とする衣服。
【請求項２】
前記衣服は、折り返された折返襟を前記フラップ部として備えた上着であり、
折り返しによって前記折返襟が重なる前記衣服の他の部分を前記被重ね部とし、前記折返襟の裏又は衣服の前記他の部分に前記反射材が設けられ、
前記折返襟が折り返されて衣服に重なった状態にて、前記反射材が隠れ、
前記折返襟を立てることによって前記反射材が露出することを特徴とする請求項１記載の衣服。
【請求項３】
前記反射材は、再帰性反射シートであり、前記上着の背中側における前記折返襟の裏に設けられ、
前記折返襟を立てることによって、上下方向について上着着用者の項又は後頭部へ前記反射材を配置することができる請求項２記載の衣服。
【請求項４】
前記衣服はポケットを備え、
前記フラップ部は、通常衣服の表地の裏側へ重なり且つ指先で引っ張ることにより衣服の外部へ引き出すことができる、前記ポケットを構成する袋状の裏地であり、
衣服の表地の前記裏側において、前記袋状の裏地の重なる部分が前記被重ね部であり、
ポケットの前記袋状の裏地は、透けて見えるメッシュ地にて形成され、
ポケットの前記裏地が呈する袋の外面へ前記反射材が設けられ、
前記ポケットの袋状の裏地を、前記被重ね部へ重なるよう収めることによって、前記反射材が隠れ、
ポケットの前記袋状の裏地をポケットから引き出すことによって、前記反射材が前記メッシュ地を通して露出することを特徴とする請求項１記載の衣服。
【請求項５】
前記衣服はポケットを備え、
前記フラップ部は、前記ポケット内に収められてポケットの内面へ重なり、指先で引っ張ることにより衣服の外部へ引き出すことができるネームサスペンダであり、
ポケット内面の前記ネームサスペンダが重なる部分が前記被重ね部であり、
前記ネームサスペンダに前記反射材が設けられ、
前記ネームサスペンダを前記ポケット内に収めることによって、前記反射材が隠れ、
前記ネームサスペンダを前記ポケットから引き出すことによって、前記反射材が露出することを特徴とする請求項１記載の衣服。
【請求項６】
前記衣服は後見頃へベントを備えた上着であり、
前記フラップ部は、前記ベントにて分かたれた部分の一方であり且つ前記ベントにて分かたれた他の一方の部分を前記被重ね部として当該被重ね部の上に重なるものであり、
前記被重ね部において上下に伸びる縁に、前記反射材として再帰性反射材がパイピングにて設けられ、
フラップ部である前記一方の部分が、被重ね部である前記他の一方の部分に重なることによって、前記反射材が隠れ、
フラップ部である前記一方の部分が、被重ね部である前記他の一方の部分から開いたとき、前記反射材が露出するものであることを特徴とする請求項１記載の衣服。
【請求項７】
前記衣服はポケットを備え、
前記フラップ部は、基端が前記ポケットの縁に設けられ且つ先端側が衣服の表面に重なることにより前記ポケットを封ずる雨蓋であり、
衣服の前記表地において、ポケットから出された前記雨蓋の重なる部分が前記被重ね部であり、当該被重ね部に前記反射材が設けられ、
ポケットから出された前記雨蓋が前記被重ね部に重なることにより、前記反射材が隠れ、
上記雨蓋を前記ポケット内へ収納することにより前記反射材が露出することを特徴とする請求項１記載の衣服。
【請求項８】
前記衣服はポケットを備え、
前記フラップ部は、基端が前記ポケットの縁に設けられ且つ先端側が前記ポケットを封ずる雨蓋であり、
前記反射材は、前記雨蓋の先端側に設けられ、
前記雨蓋の先端側を前記ポケット内へ収納した際にポケット内面における前記雨蓋の重なる部分が前記被重ね部であり、
前記雨蓋の先端側をポケット内へ収納することにより、前記反射材が隠れ、
前記ポケットから前記雨蓋を引き出すことにより、前記反射材が露出するものであることを特徴とする請求項１記載の衣服。
【請求項９】
前記衣服は、膝より下方にある膝下部分へ、当該膝下部分より上方の部分とは別体の生地を切替えて縫い付けたズボンであり、
前記ズボンの表地は、横縞又は縦横の格子柄を生地の柄とするものであり、
前記ポケットは、前記ズボンの臀部に設けられ、
前記反射材は、前記雨蓋の縁にパイピングにて設けられた再帰性反射材であり、
前記反射材とは別に副反射材として、再帰性反射材がパイピングにて前記膝下部分の縫い付け部分に沿って設けられ、
前記副反射材が、前記柄の一部を構成するものであることを特徴とする請求項８記載の衣服。
【考案の詳細な説明】
【技術分野】
【０００１】
本願考案は、衣服の改良に関する。
【背景技術】
【０００２】
夜間屋外において、自動車の運転者に気付かれず、歩行者に自動車が接近する危険がある。
従って、このような危険を回避するために、例えば工事作業者用には、反射シートを備えたヘルメットや、反射シートを前身頃や後身頃の目立つ場所に備えた作業用のベストが普及している。
しかし、スーツなどの、日中の通勤や勤務時間中着用する上着において、前身頃や後身頃の目立つ場所にそのような反射シートを設けるのは、避けたいものである。
【０００３】
一方、特許文献１へ示す、組紐が取り付けられている学生服又は学生帽において、前記組紐は複数の組み糸を組み合わせてなり、前記組み糸に反射テープが用いられている学生服又は学生帽が提案されている。
しかし、上記の組み紐を備えない、通常のスーツや、ブレザー、ジャケットといった上着では、特許文献１の手法を採ることができず、当該上着の着用者の安全を図ることができない。
【０００４】
また、特許文献２では、 薄くて少なくとも一部が折曲げ可能なシート状の基材（１）の上に、薄くて変形可能なシート状の反射材（２）と薄くて変形可能な取付材（３）とを折返部（４）を挟んで、並べて設けた衣服装着用反射シートが示されており、当該シートを、既存の衣服に装着して、反射材を隠したり露出したりできる夜間交通事故防止用衣服への衣服の改良を可能とすることが提案されている。
この特許文献２では、変形可能なシート状の反射材（２）と薄くて変形可能な取付材（３）とを折返部（４）を挟んで並べて設けた反射シートの前記取付材（３）を、上着の首ぐりの縁や台襟（５２）へ取り付けることが提案されている。そして、特許文献２の図１（Ｂ）や図２（Ｂ）へ示すように、折返部（４）にて二つ折りにして使用しないときは折返襟（５１）の裏に隠し、反射シートが必要な時には取付材（３）から反射材（２）を伸ばして折返襟（５１）の下方から反射材（２）を露出させるのである。
【先行技術文献】
【特許文献】
【０００５】
【特許文献１】特開２００３−３４２８１６号公報
【特許文献２】特開２００２−１０５７０８号公報
【考案の概要】
【考案が解決しようとする課題】
【０００６】
しかし、この特許文献２に示されたものでは、体を動かすことにより反射材（２）が不意に伸びて気付かないうちに上記襟の下方から露出し、この反射材（２）が露出したままとなってしまう危惧があった。反射材の強度や弾力性の選定を厳しく行っても、上記露出を確実に抑えるのは困難である。
特に、反射材が常に露出した状態では、衣服のデザインを損なうものである。更に、写真撮影時、反射材にフラッシュの光が反射して像が飛んでしまう。
このような問題について、特許文献２は、改良の余地があるものと言える。
本願考案は、上記問題を鑑み、襟元から不意に反射材が露出し、反射材が露出したままとなることを抑えた衣服の提供を図る。
【課題を解決するための手段】
【０００７】
本願考案は、衣服の一部であるフラップ部を備え、前記フラップ部は、前記衣服の通常の使用において衣服の他の部分を被重ね部として当該被重ね部へ重なるものであり、前記フラップ部は、変形すること或いは衣服の前記被重ね部に対し移動することにて、前記被重ね部へ重なった状態から解放されるものである衣服について、次の構成を採るものを提供する。
即ち、前記フラップ部又は前記被重ね部に、光を反射し又は蓄光反射する反射材が設けられ、前記フラップ部が衣服の前記被重ね部へ重なった状態にて、前記反射材が隠れ、フラップ部の前記変形又は前記移動によって、前記反射材が露出する。
また、本願考案では、前記衣服は、折り返された折返襟を前記フラップ部として備えた上着であり、折り返しによって前記折返襟が重なる前記衣服の他の部分を前記被重ね部とし、前記折返襟の裏又は衣服の前記他の部分に前記反射材が設けられ、前記折返襟が折り返されて衣服に重なった状態にて、前記反射材が隠れ、前記折返襟を立てることによって前記反射材が露出する。
更に、本願考案では、前記反射材は、再帰性反射シートであり、前記上着の背中側における前記折返襟の裏に設けられ、前記折返襟を立てることによって、上下方向について上着着用者の項（うなじ）又は後頭部へ前記反射材を配置する。
また更に、本願考案では、前記衣服はポケットを備え、前記フラップ部は、通常衣服の表地の裏側へ重なり且つ指先で引っ張ることにより衣服の外部へ引き出すことができる、前記ポケットを構成する袋状の裏地であり、衣服の表地の前記裏側において、前記袋状の裏地の重なる部分が前記被重ね部であり、ポケットの前記袋状の裏地は、透けて見えるメッシュ地にて形成され、ポケットの前記裏地が呈する袋の外面へ前記反射材が設けられ、前記ポケットの袋状の裏地を、前記被重ね部へ重なるよう収めることによって、前記反射材が隠れ、ポケットの前記袋状の裏地をポケットから引き出すことによって、前記反射材が前記メッシュ地を通して露出する。
更にまた本願考案では、前記衣服はポケットを備え、前記フラップ部は、前記ポケット内に収められてポケットの内面へ重なり、指先で引っ張ることにより衣服の外部へ引き出すことができるネームサスペンダであり、ポケット内面の前記ネームサスペンダが重なる部分が前記被重ね部であり、前記ネームサスペンダに前記反射材が設けられ、前記ネームサスペンダを前記ポケット内に収めることによって、前記反射材が隠れ、前記ネームサスペンダを前記ポケットから引き出すことによって、前記反射材が露出する。
また本願考案では、前記衣服は後見頃へベントを備えた上着であり、前記フラップ部は、前記ベントにて分かたれた部分の一方であり且つ前記ベントにて分かたれた他の一方の部分を前記被重ね部として当該被重ね部の上に重なるものであり、前記被重ね部において上下に伸びる縁に、前記反射材として再帰性反射材がパイピングにて設けられ、フラップ部である前記一方の部分が、被重ね部である前記他の一方の部分に重なることによって、前記反射材が隠れ、フラップ部である前記一方の部分が、被重ね部である前記他の一方の部分から開いたとき、前記反射材が露出する。
更に本願考案では、前記衣服はポケットを備え、前記フラップ部は、基端が前記ポケットの縁に設けられ且つ先端側が衣服の表面に重なることにより前記ポケットを封ずる雨蓋であり、衣服の前記表地において、ポケットから出された前記雨蓋の重なる部分が前記被重ね部であり、当該被重ね部に前記反射材が設けられ、ポケットから出された前記雨蓋が前記被重ね部に重なることにより、前記反射材が隠れ、上記雨蓋を前記ポケット内へ収納することにより前記反射材が露出する。
また更に本願考案では、前記衣服はポケットを備え、前記フラップ部は、基端が前記ポケットの縁に設けられ且つ先端側が前記ポケットを封ずる雨蓋であり、前記反射材は、前記雨蓋の先端側に設けられ、前記雨蓋の先端側を前記ポケット内へ収納した際にポケット内面における前記雨蓋の重なる部分が前記被重ね部であり、前記雨蓋の先端側をポケット内へ収納することにより、前記反射材が隠れ、前記ポケットから前記雨蓋を引き出すことにより、前記反射材が露出する。
更にまた本願考案では、前記衣服は、膝より下方にある膝下部分へ、当該膝下部分より上方の部分とは別体の生地を切替えて縫い付けたズボンであり、前記ズボンの表地は、横縞又は縦横の格子柄を生地の柄とするものであり、前記ポケットは、前記ズボンの臀部に設けられ、前記反射材は、前記雨蓋の縁にパイピングにて設けられた再帰性反射材であり、前記反射材とは別に副反射材として、再帰性反射材がパイピングにて前記膝下部分の縫い付け部分に沿って設けられ、前記副反射材が、前記柄の一部を構成する。
【考案の効果】
【０００８】
本願考案は、衣服が本来備える衣服の構成部分であって、通常の使用において、衣服の他の部位に重なり、変形や移動によってこの重なった状態から解放されるフラップ部を利用することによって、反射材自体を曲げたり折ったりする変形の必要をなくした。このため、折り曲げて隠していた反射材が伸びて不意に露出し、気付かぬうちに反射材が露出したままになるという事態を抑制できた。
詳しくは、衣服の襟、ポケットの雨蓋、ネームサスペンダ、前開きの上着における左右の部分のうち前に位置する部分或いは裾がダブルのズボンの折返し部分といった、衣服が本来備える衣服の構成部分が上記フラップ部である。即ち、フラップ部は、通常の使用において衣服の他の部位に収まりよく重ねられて安定しているか或いは変形や衣服の他の部位に対して移動しても直ぐ元の状態に戻る衣服の構成部分である。そして当該フラップ部を反射材の出没に利用することにより、反射材が不意に露出するのを抑え、或いはフラップ部の変形や移動によって不意に反射材が露出したとしても直ぐにフラップ部が元の状態に戻すことができ反射材を目立たないものとすることができる。
このため、従来（特許文献３）と異なり、反射材を露出したままとしないようにするために、反射材の素材や寸法を厳密にして変形や移動を制限する必要がない。
上記の通り、不要なときに反射材を確実に隠しておけるので、衣服のデザインを阻害せず、デザイナの負担とならない。また、反射材を確実に隠しておけるので、写真撮影時、フラッシュやトスロボによって反射材にて光が反射するのを防ぎ、衣服や衣服の着用者が写真へ不自然に写らない。
特に、上着の折返襟をフラップ部とし、背中側において当該折返襟の裏に反射材を設けて襟を立てることにより、注意が向き難い背後から迫る自動車に対して、項（うなじ）や後頭部といった身体の高い位置にて反射材を露出させることができ、夜間の安全性をより高めることができたものである。
また、ポケットを備えた衣服において、ポケットの袋状の裏地をメッシュ地にて形成し、当該裏地が呈する袋の外面へ反射材を設けることにより、袋状の裏地を衣服の外へ引き出すことにて反射材をメッシュ地を通して露出させることができる。この袋状の裏地へポケットとして収納物を入れても、直接反射材へ収納物が接触せず、反射材が傷み難い。
【図面の簡単な説明】
【０００９】
【図１】（Ａ）は本願考案に係る一実施の形態を示す上着の一部切欠拡大背面図、（Ｂ）は他の実施の形態を示す上着の全体背面図。
【図２】（Ａ）は本願考案のまた他の実施の形態を示す上着の全体正面図、（Ｂ）は更に他の実施の形態を示す上着の一部切欠拡大正面図。
【図３】（Ａ）は本願考案のまた更に他の実施の形態を示すズボンの背面図、（Ｂ）は更にまた他の実施の形態を示すズボンの背面図。
【考案を実施するための形態】
【００１０】
以下、図面に基づき本願考案の実施の形態を説明する。
（基本事項）
本願考案に係る衣服１は、衣服１の一部を構成する、衣服の構成部分であるフラップ部２を備え、フラップ部２は、衣服１の通常の使用において衣服１の他の部分３に重なるものであり、フラップ部２は、変形すること或いは衣服１の前記他の部分３に対し移動することにて、重なった状態から解放されるものである。この衣服１は、フラップ部２又はフラップ部２が重ねられる部分（以下被重ね部３と呼ぶ。）に、光を反射し又は蓄光反射する反射材４が設けられ、フラップ部２が衣服１の被重ね部３に重ねられた状態にて、反射材４が隠れ、フラップ部２の変形又は移動によって、反射材４が露出する。
反射材４には、光を反射する周知のものを採用することができる。例えば、反射材４として、周知の再帰性反射シートや蓄光反射シートを採用することができる。
【００１１】
（実施の形態１）
図１（Ａ）へ一実施の形態を示す。この例では、衣服１は、スーツの上衣、ブレザー、ジャケットなどの首周りに折返襟を備えた上着である。
具体的には、この上着は、立襟の先に設けられて折り返された折返襟を前記フラップ部２として備える。この折返襟の裏に反射材４が設けられている。また立襟が上記被重ね部３である。
この例では、反射材４には、入射方向に沿って光を反射する再帰性反射シートを採用する。反射材４は、縫製により、或いは、接着剤の塗布や、シート裏面へ接着層を形成し熱融着させることにて、上記衣服１の折返襟の裏に取り付けることができる。この例では、特に、上着の背中側における上記折返襟の裏に設けられ、図１（Ａ）へ示す通り、被重ね部３である立襟から上記折返襟が立てられた状態にて、当該上着の着用者の項（うなじ）ｎに反射材４を配置することができ、衣服の外側へ反射材４を露出することができる。
反射材４が不要なときは、図１（Ａ）の白抜き矢印で示す通り、上記立襟側へ上記折返襟を折り返して、即ちフラップ部２を被重ね部３へ重ねることにより、反射材４を隠すことができる。
この他、被重ね部３へ反射材４を設けるものとしても実施でき、上記折返襟に代え、或いは折返襟と共に上記立襟に反射材４を設けるものとしても実施できる（図示しない）。
また、フラップ部２である折返襟と被重ね部３の何れに反射材４を設ける場合であっても、上記背中側に代え或いは背中側と共に、正面側即ち胸側に反射材４を設けるものとしても実施できる。
上着の上記被重ね部３としては襟の形態を問わず当該襟に隠れる前身頃の胸元とすることができる。そして当該襟をフラップ部２として、衣服の正面側において、フラップ部２と被重ね部３の少なくとも一方に上記の反射材４を設けて実施することができる。
【００１２】
（実施の形態２）
図２（Ａ）へまた他の実施の形態を示す。この例では、衣服１は、スーツの上衣、ブレザー、ジャケットなどの胸ポケットｐを備えた上着である。
フラップ部２は、この例では図２（Ａ）の前身頃の上部（左胸）へ破線で示す通り、通常表地の裏に重ねられ黒太矢印で示す通り指先で引っ張ることにより衣服の外部へ引き出すことができる、ポケットｐを構成する袋状の裏地である。上記表地の裏側において、フラップ部２である袋状の上記ポケットｐの裏地の重なる部分が、被重ね部３である。
ポケットｐを構成する袋状の裏地は、透けて見えるメッシュ地にて形成されている。
反射材４は、上記ポケットｐの裏地が呈する袋の外面に設けられており、上記衣服の外側へ当該裏地を引き出すことにて、メッシュ地を通して反射材４を露出させることができる。
ポケットｐの袋状の上記裏地を被重ね部３へ重ねて収めることにより、反射材４を隠すことができる。
反射材４は、実施の形態１と同様のシートであり、縫製又は接着によりポケットｐを構成する上記裏地へ取り付けることができる。
但し、袋状の裏地を備えて指先で引き出すことができるポケットに反射材４を設けるものであれば、上記の胸ポケット以外の他のポケットの裏地へ反射材４を設けるものとしても実施できる。
【００１３】
（実施の形態３）
図２（Ｂ）へ更に他の実施の形態を示す。この例では、衣服１は、スーツの上衣、ブレザー、ジャケットなどの胸ポケットｐを備えた上着である。
フラップ部２は、上記ポケットｐ内に収められてポケットｐの内面へ重ねられ、指先で引っ張ることにより衣服の外部へ引き出すことができるネームサスペンダ即ち織りネームである。
上記ネームサスペンダに反射材４が設けられており、図２（Ｂ）へ示す通り、当該ネームサスペンダをポケットｐから引き出すことによって、衣服の外側へ反射材４を露出させることができる。
反射材４が不要なときは、図２（Ｂ）へ破線で示す通りフラッブ部２である上記ネームサスペンダをポケットｐ内に収める。ポケットｐ内面において、ポケットｐ内へ収めたネームサスペンダの重なる部分が、被重ね部３である。
ネームサスペンダをポケット内へ納め、上記被重ね部３へ重ねることによって、反射材４を隠すことができる。
ネームサスペンダが縫い付けられたポケットであれば、上記胸ポケット以外のポケットの当該ネームサスペンダへ反射材４を設けるものとしても実施できる。
反射材４及び反射材４の取り付けは、上述の実施の形態１と同様である。
【００１４】
（実施の形態４）
図１（Ｂ）へまた他の実施の形態を示す。この例では、この例では、衣服１は、スーツの上衣、ブレザー、ジャケットなどの後見頃の下部にベントｖを備えた上着である。
フラップ部２は、上記ベントｖにて分かたれた生地の一方であり、且つ、このベントｖにて分かたれた生地の他の一方を被重ね部３として当該被重ね部３の上に重なる。
図１（Ｂ）へ示す通り、上記被重ね部３へ反射材４が設けられる。
具体的には、被重ね部３の上下に伸びる縁に、再帰性反射シートをパイピングすることにて反射材４を設ける。
パイピングとは、一般に、バイアステープで布端を解れないように包んで留めたり、二つ折りにした生地を切替えの縫い目に挟んで留めることにより装飾とするものである。バイアステープは裁縫に使う、生地の織り・布目に対し斜めに傾けて細いテープ状に切った布であるが、この例では、当該バイアステープとして再帰性反射シートを用い、パイピングを行う。
フラップ部２とする生地の一方が、被重ね部３とする生地の他の一方に重なることによって、パイピングにて形成された上記の反射材４が隠れ、フラップ部２である生地の一方が、被重ね部３である生地の他の一方から開くことによって、反射材４が露出する。
【００１５】
（実施の形態５）
図２（Ａ）へ示す衣服１は、上着の前身頃における下部（腰元）の右ポケットｐ１について他の実施の形態を施したものである。
この例では、上記フラップ部２は、当該ポケットｐ１の口を封じる雨蓋である。具体的には、上記雨蓋は、基端がポケットｐ１の縁に設けられ且つ先端側が衣服の表面に重ねられることによりポケットｐ１を封ずるものである。
この例では、衣服１の表地において、ポケットｐ１から出された上記雨蓋と、重ねられる部分が上記被重ね部３である。
この被重ね部３に、実施の形態１と同様の反射材４が設けられている。フラップ部２である雨蓋をポケットｐ１から出して衣服１の被重ね部３へ重ねることにより、反射材４を隠すことができ、上記雨蓋をポケットｐ１内へ収納することにより反射材４を衣服１の外側へ露出させることができる。
尚、上着の腰元の右ポケットｐ１側の被重ね部３に反射材４を設けるものとしたが、上着の腰元の左ポケットｐ２側の被重ね部３へ反射材４を設けるものとしても実施でき、左右両ポケットｐ１，ｐ２の両被重ね部３へ反射材４を設けるものとしても実施できる。
【００１６】
（実施の形態６）
図２（Ａ）へ示す衣服１は、上着の前身頃における下部（腰元）の左ポケットｐ２について更に他の実施の形態を施したものである。
この例では、衣服１の表地において、上記ポケットｐ２の内面において当該ポケットｐ２に収納された上記雨蓋が重ねられる部分が、上記被重ね部３である。
この例では、フラップ部２である雨蓋の表面に実施の形態１と同様の反射材４が設けられている。
フラップ部２である雨蓋をポケットｐ２から引き出すことにより、反射材４を衣服１の外側に露出させることができ、上記雨蓋をポケットｐ２内へ収納することにより反射材４を隠すことができる。
反射材４は、図２（Ａ）へ示す通り、雨蓋の正面の上下及び左右において中央に設ける平面的なものとする他、雨蓋の先端及び側端へ、再帰性反射シートをパイピングにて反射材４として一連に設け、反射材４にて雨蓋を縁取るものとしても実施できる。
この例でも、図示したものと逆に、上着の腰元の右ポケットｐ１側のフラップ部２に反射材４を設けるものとしても実施でき、左右両ポケットｐ１，ｐ２の両フラップ部２に反射材４を設けるものとしても実施できる。
尚、上着において上記の実施の形態５及び６と共に、胸ポケットｐへ実施の形態１を施すものであってもよく、実施の形態１を施さないものであってもよい。
【００１７】
（実施の形態７）
図３（Ａ）へ更にまた他の実施の形態を示す。この例では、衣服１は、ズボンである。
この実施の形態７は、上着における上記実施の形態５及び６にて説明したものと同様の構成を、ズボンの臀部の左右のポケットｐ３，ｐ４へ施したものである。
図３（Ａ）へ示す通り、このズボンは、雨蓋をフラップ部２として臀部のポケットに備える。
図３（Ａ）の左ポケットｐ３の例では、フラップ部２である上記雨蓋に、反射材４が設けられている。この例では、前述のパイピングにて雨蓋の縁に反射材４を配したものを示す。但し、反射材４は、図２（Ａ）の上着の左下のポケットｐ２と同様雨蓋の正面の上下及び左右において中央に設ける平面的なものとしてもよい。また、右ポケットｐ４のフラップ部２へ反射材４を設けるものとしても、左右両ポケットｐ３，ｐ４のフラップ部２へ反射材４を設けるものとしても実施できる。
図３（Ａ）の右ポケットｐ４の例では、ポケットｐ４から出したフラップ部２である雨蓋と、重なる部分が被重ね部３であり、当該被重ね部３へ反射材４が設けられている。また、左ポケットｐ３の被重ね部３へ反射材４を設けるものとしても、左右両ポケットｐ３，ｐ４の被重ね部３へ反射材４を設けるものとしても実施できる。
【００１８】
このズボンについて、更に詳しく述べる。図３（Ａ）（Ｂ）へ示す通り、このズボンにおいて、膝より下方にある膝下部分１２が、当該膝下部分１２より上方の部分１１とは別体の生地に、切替えて縫い付けられる。
このズボンの表地は、図３（Ｂ）へ示す縦横の格子柄を備える。
前記反射材４とは別に、前記膝下部分１２が縫い付けられた部分に沿って再帰性反射シートをパイピングにて副反射材５として設ける。前記副反射材５は、横に伸びて前記柄の一部を構成する。
切替え部分と他の部分との境界にパイピングにて設けられた副反射材５は、目立たないものであればよく、ズボンの表地の柄は上記の格子柄に限定するものではない。例えば、ズボンの柄は、横縞の縞模様であってもよい。
また、上着やズボンのポケットの縁にパイピングにて反射材４を設ける場合も、反射材４を格子模様や縞模様の一部として、目立たせないものとしても実施できる。
ズボンは、上記の副反射材５を設けずに実施してもよい。副反射材５を設けない場合、上記の切替えを施したズボンでなくてよく、また、その柄についても格子や縞模様以外のものや無地のものを採用して実施してもよい。
【００１９】
（その他）
衣服１は、袖口にボタン止めされたスリット即ちスリーブベントを備えた上着とし、当該スリットに分かたれた生地の一方をフラップ部２とし、他の一方を被重ね部３として、フラップ部２又は被重ね部３の少なくとも一方に反射材４を設けるものとしても実施できる（図示しない）。袖口の上記ボタンを外してスリットを開くことによって反射材４が露出し、当該ボタンを止めてスリットを閉じることによって反射材４が隠れるものとすればよいのである。
【００２０】
この他、前開きの上着における左右の前身頃（紳士物は左前、婦人物は右前）のうちボタン（前ボタン）が設けられた見頃の当該ボタンの付近に反射材４を設けて、当該ボタンを外して上着の前を開くと反射材４が露出し、ボタンを掛けて上着の前を閉ざすと反射材４が隠れるものとしても実施できる。この場合、当該前ボタンが設けられた左右の見頃の一方が被重ね部３であり、前ボタンが掛けられる左右の見頃の他の一方がフラップ部２である。
【００２１】
また、衣服１を裾がダブル（折返し）のズボンとし、当該裾の折返し部分をフラップ部２とし、当該裾の折返し部分が重ねられる部分を被重ね部３とし、フラップ部２と被重ね部３の一方又は双方へ反射材４を設けて、フラップ部２である当該折返し部分を伸ばすことによって、反射材４を露出させるものとし、折返すことによって反射材４を隠すものとしてもよい。
【００２２】
（まとめ）
上述の通り、本願考案は、夜間など必要な時に反射材４を露出させ、不要なときに反射材４を確実に隠しておける衣服を提供することができたものである。
特に、本願考案は、スーツの上着、ブレザー、ジャケットなどの上衣、ズボンなどの下衣といった、通常の使用において反射材４を目立たせたくない衣服において、必要なときのみ反射材４を露出させることができるものを提供する。
【符号の説明】
【００２３】
１  衣服
２  フラップ部
３  被重ね部
４  反射材
【図１】
0003190400.tif 000003
【図２】
0003190400.tif 000004
【図３】
0003190400.tif 000005